(57)【特許請求の範囲】
【請求項１】
送風機を収納した送風装置ケーシングと、前記送風装置ケーシングの内壁面から内側に向けて形成された排水パンと、前記排水パンと連通し前記送風装置ケーシングに開口する排水口と、を備えた送風装置であって、
前記送風装置ケーシングと、前記排水パンとの間には、多孔質材料で形成された通水部材が配置されたことを特徴とする送風装置。
【請求項２】
前記排水パンは、前記送風装置ケーシングに一端が接続された第１面と、前記第１面の他端から立設される第２面とにより構成されていることを特徴とする請求項１に記載の送風装置。
【請求項３】
前記排水パンの前記第１面及び第２面は、円弧形状面として構成されていることを特徴とする請求項２に記載の送風装置。
【請求項４】
前記通水部材は、前記送風装置ケーシングと前記第２面との間に設けられていることを特徴とする請求項２または３に記載の送風装置。
【請求項５】
前記排水口は、前記第１面と連通する開口であることを特徴とする請求項２〜４のいずれか１項に記載の送風装置。
【請求項６】
前記通水部材の上面は、前記送風装置ケーシングの内壁から前記第２面に向けて下る傾斜を備えたことを特徴とする請求項２〜５のいずれか１項に記載の送風装置。
【請求項７】
前記第１面は、前記第２面から前記排水口に向けて下る傾斜を備えたことを特徴とする請求項２〜６のいずれか１項に記載の送風装置。
【請求項８】
前記排水パンは、前記送風装置ケーシングの内壁面上の接続線において水平方向に配置されていることを特徴とする請求項１〜７のいずれか１項に記載の送風装置。
【請求項９】
前記排水パンは、前記送風装置ケーシングの内壁面上の接続線において傾斜して配置されていることを特徴とする請求項１〜７のいずれか１項に記載の送風装置。
【請求項１０】
前記排水パンは、前記送風装置ケーシングの内壁面上の接続線において中央部が凹形状となる勾配が設けられていることを特徴とする請求項１〜７のいずれか１項に記載の送風装置。
【請求項１１】
前記送風装置ケーシングにおける前記排水パンの中央部に対向する位置には、前記排水口が開口することを特徴とする請求項１０に記載の送風装置。
【請求項１２】
請求項１〜１１のいずれか１項に記載の送風装置を備えたことを特徴とする空気調和装置。
【発明の詳細な説明】
【技術分野】
【０００１】
本発明は、ケーシング内を流下する結露水の排出構造を有する送風装置、及びその送風装置を備えた空気調和装置に関するものである。
【背景技術】
【０００２】
従来、送風装置の送風経路に結露水等が流入した場合に、結露水が送風対象空間に飛散することを防止する構成として、例えば送風経路内に吸水部材を配置し、結露水を一時的に吸水して送風によって徐々に気化させ、結露水を処理する構成が知られている（特許文献１を参照）。
また、吹出口の周囲に結露センサと防露ヒータとを配設し、結露センサからの信号により防露ヒータの駆動を制御することで、結露水を気化させて処理する技術も公知となっている（特許文献２を参照）。
【先行技術文献】
【特許文献】
【０００３】
【特許文献１】特開平０８−００２２４４号公報（段落［００２２］、第６図等を参照）
【特許文献２】特開平０２−１５４９３０号公報（特許請求の範囲、第１、２図等を参照）
【発明の概要】
【発明が解決しようとする課題】
【０００４】
従来の送風装置における結露水対策である風路内に吸水部材を配置した構成のものは、吸水部材に気化処理の速度を超えて結露水が供給され、吸水部材の含水量が一定値を超えると、気流内に結露水が飛散して送風対象空間内に搬送されてしまう。また、吸水部材が風路内に立設することで風路抵抗が増大し、風量が減少してしまうという問題があった。【０００５】
また、吹出口の周囲に結露センサと防露ヒータを配設して結露水の処理を行う場合も、所定量以上の結露水については、防露ヒータによる気化処理が間に合わず、送風対象空間内に結露水が飛散してしまう。また、制御回路が必要となるため、センサーの不調等の不具合により防露ヒータが駆動されない場合があった。さらに設置コストの面でも高価となってしまう問題があった。【０００６】
本発明は、上記のような課題を解決するためになされたもので、送風流路内に流入した結露水を風路抵抗の増大を最小限に抑制しながら送風経路外に確実に排出して処理することを目的とする。
【課題を解決するための手段】
【０００７】
本発明に係る送風装置は、送風機を収納した送風装置ケーシングと、送風装置ケーシングの内壁面から内側に向けて形成された排水パンと、排水パンと連通し送風装置ケーシングに開口する排水口と、を備えた送風装置であって、送風装置ケーシングと、排水パンとの間には、多孔質材料で形成された通水部材が配置されたものである。
【発明の効果】
【０００８】
本発明に係る送風装置によれば、送風流路内に流入した結露水を風路抵抗の増大を最小限に抑制しながら送風経路外に確実に排出して処理することが可能となる。
【図面の簡単な説明】
【０００９】
【図１】実施の形態１に係る送風装置を空気調和装置の室内機に実装した際の概略断面図である。
【図２】実施の形態１に係る送風装置の垂直断面図である。
【図３】実施の形態１に係る送風装置の斜視図である。
【図４】実施の形態１に係る送風装置の水平（Ａ−Ａ）断面図である。
【図５】実施の形態１に係る送風装置の内壁（図４のＶＩＥＷ方向）を示す垂直断面図である。
【図６】実施の形態１に係る排水パンの断面拡大図である。
【図７】実施の形態２に係る送風装置の排水パンを示す斜視図である。
【図８】実施の形態２に係る排水パンの断面拡大図である。
【図９】実施の形態３に係る送風装置の排水パンを示す斜視図である。
【図１０】実施の形態４に係る送風装置の排水パンを示す斜視図である。
【発明を実施するための形態】
【００１０】
以下、本発明の実施の形態を図面に基づいて説明する。
なお、以下で説明する構成等は、一例であり、本発明に係る送風装置は、そのような構成等に限定されない。
また、細かい構造については、適宜図示を簡略化又は省略している。
また、重複又は類似する説明については、適宜簡略化又は省略している。
【００１１】
実施の形態１．
図１は、実施の形態１に係る送風装置を空気調和装置の室内機に実装した際の概略断面図である。
図２は、実施の形態１に係る送風装置の垂直断面図である。
図３は、実施の形態１に係る送風装置の斜視図である。
図４は、実施の形態１に係る送風装置の水平（Ａ−Ａ）断面図である。
図５は、実施の形態１に係る送風装置の内壁（図４のＶＩＥＷ方向）を示す垂直断面図である。
図６は、実施の形態１に係る排水パンの断面拡大図である。
【００１２】
実施の形態１における送風装置４を実装した空気調和装置は、図１に示すように本体ケーシング１の上部に室内の空気を吸い込む吸込口１ａが開口し、本体ケーシング１の下部に吹出口１ｂが形成されている床置き型の大容量空気調和装置である。本体ケーシング１内の上部には例えば逆Ｖ字状に室内熱交換器３が２台配置された熱交換室があり、本体ケーシング１内の下部には送風装置４が配置されている。そして、２台の室内熱交換器３の下部には、室内熱交換器３で発生した結露水を受けるドレンパン１３が設けられている。
【００１３】
実施の形態１に係る空気調和装置は、主に電算室等の二重床内に本体ケーシング１の下部から冷風を送風し、各電算機に対して床吹き出しによる冷却を行う。電算機は、水に対して弱い機器であるため、結露水の対策は不可欠である。室内熱交換器３は、電算機等から主に発生する顕熱を処理するための熱交換器である。
【００１４】
送風装置４は、図２の垂直断面図に示すように送風装置ケーシング７内に遠心ファン５とファンモータ６とを備えている。遠心ファン５は送風装置ケーシング７の上面側に配置され、ファンモータ６の回転軸であるモータシャフトに取り付けられている。ファンモータ６は、モータステー１４の一端側に支持されている。また、モータステー１４の他端側は、後述する送風装置ケーシング７の四隅に配置された支柱のチャンネル材１２に接合されている。そして、図３に示すように送風装置ケーシング７の上面には、遠心ファン５の回転軸周辺に連通する吸込開口７ｃが開口している。吸込開口７ｃの形状は遠心ファン５の吸込口の形状と合わせ円形となっている。また、送風装置ケーシング７の下面には、遠心ファン５の回転によって高圧となった空気が流出する吐出開口７ｄが開口している。吐出開口７ｄの周囲には送風装置ケーシング７の強度を確保するためのフランジ部７ｆが形成されている。
【００１５】
送風装置ケーシング７は、図４の水平断面図に示すように四隅に断面Ｌ字状のチャンネル材１２を支柱として配置した直方体形状の箱体である。送風装置ケーシング７の各側面、上面及び下面は、例えば鋼板や樹脂製の板などで形成されている。そして、上部ケーシング７ａと下部ケーシング７ｂとの２ブロックで形成されている。
【００１６】
下部ケーシング７ｂの内壁面には、後述する排水パン８が形成されると共に最下部の外周に樋１０が形成されている。樋１０は、下部ケーシング７ｂの下端を外周方向に曲折して形成され、下部ケーシング７ｂの外周面に流下する結露水を受ける役割をする。なお、上部ケーシング７ａは、遠心ファン５に取り付けられるケーシングと別体として構成し、遠心ファン５のケーシングに差し込むように係合する構成としてもよい。
【００１７】
次に、排水パン８の構成について以下に説明する。
図２に示すように送風装置ケーシング７の内壁面の下方には、空気調和装置の室内熱交換器３で発生した結露水が送風装置ケーシング７内に流入してしまった場合に、この結露水を送風装置ケーシング７の外部に排出する排水パン８が形成されている。排水パン８は、下部ケーシング７ｂの４面の上端を送風装置ケーシング７の内側に向けて折り曲げて形成され、図６に示すように送風装置ケーシング７の内側から外側に向けて下る勾配を有する傾斜面８ｂ（本発明の第１面に相当）と、傾斜面８ｂの先端から送風装置ケーシング７の側面と平行となるように立ち上がる垂直面８ａ（本発明の第２面に相当）とから構成されている。
【００１８】
また、傾斜面８ｂの長手方向は勾配がなく、水平となるように構成されている。上部ケーシング７ａと、下部ケーシング７ｂにおける傾斜面８ｂが曲折された稜線８ｄとの間には、結露水が通過するスリット１１が開口している。なお、排水パン８の断面形状は、このような２面の構成に限られず円弧形状とすることも可能である。
【００１９】
この排水パン８を図４及び図５に示す送風装置４の各断面図で説明する。図４に示すように送風装置ケーシング７の四隅に設けられたチャンネル材１２の部分を避ける水平寸法で傾斜面８ｂが形成されており、この傾斜面８ｂの長さに対応してスリット１１が開口している。また、図５に示すように送風装置ケーシング７の内壁から見ると両端部にチャンネル材１２が設けられ、その間に排水パン８の垂直面８ａが延設されている。スリット１１はこの垂直面８ａに隠れた送風装置ケーシング７に開口している。
【００２０】
そして、送風装置ケーシング７の内壁面でチャンネル材１２の設けられた四隅部分には、チャンネル材１２の内壁側をつたってきた結露水を排水パン８の傾斜面８ｂ方向に案内し排水する四隅排水パン８ｃが設けられている。この四隅排水パン８ｃは、図４に示すように傾斜面８ｂの奥行き寸法に合わせてチャンネル材１２の厚み分だけ傾斜面８ｂよりも幅寸法が狭く形成されている。
【００２１】
四隅排水パン８ｃの断面形状は傾斜面８ｂと垂直面８ａに合わせた２面の構成としてもよいし、円弧形状としてもよい。そして、四隅排水パン８ｃは、結露水を排水パン８の傾斜面８ｂ方向に案内するために、図５に示すように傾斜面８ｂ方向が低くなる傾斜を有している。
【００２２】
上部ケーシング７ａと排水パン８の垂直面８ａとの間には、通水部材９が挟まれて保持されている。通水部材９は、例えば多孔質体であるグラスウール、ロックウール、ウレタンや、スポンジゴム、フェルト、濾紙等の通水性を有する部材であれば採用することが可能である。この通水部材９の断面形状は、図６に示すように平行四辺形とし、上面が上部ケーシング７ａ側から排水パン８の垂直面８ａの頂点に向けて下がるように傾斜させることが望ましい。これは、遠心ファン５から吹き下ろされる気流を滑らかに送風装置ケーシング７の中心側に向かわせ、フランジ部７ｆに気流を当てないように案内することで流路抵抗を低減するためである。
【００２３】
次に、実施の形態１に係る空気調和装置が運転した時の結露水の流れを説明する。
図１に示した空調調和装置において、ドレンパン１３による排水の系統に何らかのトラブル（ドレンパン１３の破損や排水系統の詰まりなど）が発生すると、室内熱交換器３で発生した結露水が送風装置ケーシング７内に流入してしまうことがある。
【００２４】
この室内熱交換器３で発生した結露水が送風装置４の遠心ファン５に吸い込まれ、送風装置ケーシング７の内壁面に吹き付けられる。そして、送風装置ケーシング７の内壁面を流下し通水部材９に到達する。
通水部材９に到達した結露水は、通水部材９を透過し、排水パン８の傾斜面８ｂの上面を傾斜に従って流れ、スリット１１を通過する。そして、スリット１１から送風装置ケーシング７の外部に流出した結露水は、下部ケーシング７ｂの外面側に出て外面上を流下する。流下した結露水は下部ケーシング７ｂの下端に設けられた樋１０に流入し集水される。
【００２５】
この時、本体ケーシング１と送風装置ケーシング７との間隙部分は、送風装置４の負圧側に位置するため、送風装置ケーシング７の内部と比べて低圧になっている。すると、この差圧によりスリット１１を通って送風装置ケーシング７の内部から通水部材９を通って空気が流出するため、結露水がスムーズに送風装置ケーシング７の内部から排出される。
このような構成により結露水を送風装置ケーシング７の外部に搬送することで、結露水が送風装置４の気流に乗って空調対象空間に飛散することを防止することができる。
【００２６】
また、遠心ファン５から吹き出された空気は、送風装置ケーシング７の内壁に沿って下方に流動するが、通水部材９の上面の断面形状を上記のように平行四辺形とし、上面を上部ケーシング７ａ側から排水パン８の垂直面８ａの頂点に向けて下がるように傾斜させたことで、遠心ファン５から吹き下ろされる気流を滑らかに送風装置ケーシング７の中心側に向かわせ、フランジ部７ｆに気流を当てないように案内することで流路抵抗を低減することができる。
【００２７】
すなわち、送風装置ケーシング７に排水パン８と通水部材９と樋１０とスリット１１とを上記のように構成したことで、結露水を送風装置ケーシング７の外部に搬送すると共に、気流の流路抵抗を低減することができる。
【００２８】
実施の形態２．
実施の形態２に係る送風装置４は、実施の形態１に係る排水パン８及びスリット１１の構成において相違しているため相違点を説明する。
図７は、実施の形態２に係る送風装置の排水パンを示す斜視図である。
実施の形態１に係る送風装置ケーシング７は、上部ケーシング７ａと下部ケーシング７ｂとに分割され、それらの間にスリット１１が長方形に開口すると共に、排水パン８が長手方向で水平に配置されていたが、実施の形態２に係る送風装置ケーシング７は一体として形成され、排水パン８が図７に示す破線のように長手方向に傾斜を有して配置されている。
【００２９】
排水パン８の傾斜は、中央が最も低くなるようなＶ字形状であり送風装置ケーシング７における４側面で同一形状となっている。そして、排水パン８が最も低くなる位置に対応した送風装置ケーシング７に排水口７ｅが開口している。排水口７ｅは円形や矩形など様々な形状を採用することができる。
【００３０】
図８は、実施の形態２に係る排水パンの断面拡大図である。
排水パン８は、送風装置ケーシング７の４側面に鋼板製であれば溶接等により取り付けられ、樹脂製であれば溶着や接着剤などで接着されている。そして、実施の形態１と同様に送風装置ケーシング７の内側から外側に向けて下る勾配を有する傾斜面８ｂと、傾斜面８ｂの先端から送風装置ケーシング７の側面と平行となるように立ち上がる垂直面８ａとから構成されている。なお、排水パン８の断面形状はこのような２面の構成に限られず円弧形状とすることも可能である。
【００３１】
また、実施の形態１と同様に排水パン８は、図３及び図４に示す送風装置４の各断面図で説明したように、四隅に設けられたチャンネル材１２の部分に、チャンネル材１２の内壁側をつたってきた結露水を排水パン８の傾斜面８ｂ方向に案内し排水する四隅排水パン８ｃが設けられている。
【００３２】
そして、図８に示すように送風装置ケーシング７と排水パン８の垂直面８ａとの間には通水部材９が挟まれて保持されている。通水部材９は、例えば多孔質体であるグラスウール、ロックウール、ウレタンや、スポンジゴム、フェルト、濾紙等の通水性を有する部材であれば採用することが可能である点は実施の形態１と同様である。また、通水部材９の断面形状は、図８に示すように平行四辺形とし、上面が送風装置ケーシング７側から排水パン８の垂直面８ａの頂点に向けて下がるように傾斜させることが望ましい。
【００３３】
次に、実施の形態２に係る空気調和装置が運転した時の結露水の流れを説明する。
送風装置ケーシング７の内壁を流下して通水部材９に到達した結露水は、通水部材９を透過し、排水パン８の傾斜面８ｂの上面をＶ字状の傾斜に従って流れる。そして、最も低い位置まで流下すると送風装置ケーシング７の排水口７ｅを通過し、送風装置ケーシング７の外面側に出て外面上を流下する。流下した結露水は送風装置ケーシング７の下端に設けられた樋１０に流入し集水される。なお、実施の形態１ではスリット１１に対応させて樋１０を送風装置ケーシング７の下端の全周に設置していたが、実施の形態２では排水口７ｅに対応させて排水口７ｅの下部のみに配置することも可能となる。
【００３４】
この時、本体ケーシング１と送風装置ケーシング７との間隙部分は、送風装置４の負圧側に位置するため、送風装置ケーシング７の内部と比べて低圧になっている。すると、差圧により排水口７ｅを通って送風装置ケーシング７の内部から空気が流出するため、結露水がスムーズに送風装置ケーシング７の内部から排出される。
【００３５】
このような構成により送風装置ケーシング７に排水口７ｅを４箇所設けるだけの簡易な構成で、結露水を送風装置ケーシング７の外部に搬送し、結露水が送風装置４の気流に乗って空調対象空間に飛散することを防止することができる。また、通水部材９の上面を送風装置ケーシング７側から排水パン８の垂直面８ａの頂点に向けて下がるように傾斜させたことで、遠心ファン５から吹き下ろされる気流を滑らかに送風装置ケーシング７の中心側に向かわせ、フランジ部７ｆに気流を当てないように案内することで流路抵抗を低減することができる。
【００３６】
実施の形態３．
実施の形態３に係る送風装置４は、実施の形態２に係る排水パン８の構成において相違しているため相違点を説明する。
図９は、実施の形態３に係る送風装置の排水パンを示す斜視図である。
実施の形態２に係る送風装置ケーシング７は、その４側面において排水パン８が長手方向でＶ字形状に傾斜して配置されていたが、実施の形態３に係る排水パン８は図９に示す破線のように対向する２面でＶ字形状に傾斜し、他の対向する２面で山形形状に傾斜している。
【００３７】
Ｖ字形状に傾斜した排水パン８が最も低くなる位置には、送風装置ケーシング７に排水口７ｅが開口している。排水口７ｅは円形や矩形など様々な形状を採用することができる。
また、山形形状に配置された排水パン８はその両端部がＶ字形状に配置された排水パン８の両端部に接続している。
そして、通水部材９の形状や排水パン８の断面形状は、図８に示すように実施の形態２と同様である。
【００３８】
次に、実施の形態３に係る空気調和装置が運転した時の結露水の流れを説明する。
送風装置ケーシング７の内壁を流下して通水部材９に到達した結露水は、通水部材９を透過し、排水パン８の傾斜面８ｂの上面をＶ字形状の傾斜及び山形形状の傾斜に従って流れる。山形形状の傾斜を流下した結露水は、Ｖ字形状の排水パン８の両端部に流れ込む。そして、Ｖ字形状の排水パン８の最も低い位置まで流下すると送風装置ケーシング７の排水口７ｅを通過し、送風装置ケーシング７の外面側に出て外面上を流下する。流下した結露水は送風装置ケーシング７の下端に設けられた樋１０に流入し集水される。なお、樋１０を排水口７ｅに対応させて排水口７ｅの下部のみに配置することが可能な点は実施の形態２と同様である。
【００３９】
このような構成により送風装置ケーシング７に排水口７ｅを２箇所設けるだけの簡易な構成で、結露水を送風装置ケーシング７の外部に搬送し、結露水が送風装置４の気流に乗って空調対象空間に飛散することを防止することができる。また、通水部材９の上面を送風装置ケーシング７側から排水パン８の垂直面８ａの頂点に向けて下がるように傾斜させたことで、遠心ファン５から吹き下ろされる気流を滑らかに送風装置ケーシング７の中心側に向かわせ、フランジ部７ｆに気流を当てないように案内することで流路抵抗を低減することができる。
【００４０】
実施の形態４．
実施の形態４に係る送風装置４は、実施の形態２及び３に係る排水パン８の構成において相違しているため相違点を説明する。
図１０は、実施の形態４に係る送風装置の排水パンを示す斜視図である。
実施の形態２に係る送風装置ケーシング７は、その４側面において排水パン８が長手方向でＶ字形状に傾斜して配置されていたが、実施の形態４に係る排水パン８は図１０に示す破線のように対向する２面で直線状に傾斜し、他の２面で山形形状（図示しない）及びＶ字形状に傾斜している。
【００４１】
Ｖ字形状に傾斜した排水パン８が最も低くなる位置には、送風装置ケーシング７に排水口７ｅが開口している。排水口７ｅは円形や矩形など様々な形状を採用することができる。
また、山形形状に配置された排水パン８の両端部は、直線形状の排水パン８の最上流部に接続している。直線形状の排水パン８の最下流部は、Ｖ字形状に配置された排水パン８の両端部に接続している。
そして、通水部材９の形状や排水パン８の断面形状は、図８に示すように実施の形態２と同様である。
【００４２】
次に、実施の形態４に係る空気調和装置が運転した時の結露水の流れを説明する。
送風装置ケーシング７の内壁を流下して通水部材９に到達した結露水は、通水部材９を透過する。山形形状の傾斜を流下した結露水は、直線形状の排水パン８を経由し、Ｖ字形状の排水パン８の両端部に流れ込む。そして、Ｖ字形状の排水パン８の最も低い位置まで流下すると送風装置ケーシング７の排水口７ｅを通過し、送風装置ケーシング７の外面側に出て外面上を流下する。流下した結露水は送風装置ケーシング７の下端に設けられた樋１０に流入し集水される。なお、樋１０を排水口７ｅに対応させて排水口７ｅの下部のみに配置することが可能な点は実施の形態２と同様である。
【００４３】
このような構成により送風装置ケーシング７に排水口７ｅを１箇所設けるだけの簡易な構成で、結露水を送風装置ケーシング７の外部に搬送し、結露水が送風装置４の気流に乗って空調対象空間に飛散することを防止することができる。また、通水部材９の上面を送風装置ケーシング７側から排水パン８の垂直面８ａの頂点に向けて下がるように傾斜させたことで、遠心ファン５から吹き下ろされる気流を滑らかに送風装置ケーシング７の中心側に向かわせ、フランジ部７ｆに気流を当てないように案内することで流路抵抗を低減することができる。
【００４４】
なお、実施の形態１〜４では、送風機を遠心ファンとして説明したが、斜流ファンや軸流ファン、スクロールケーシングを備えたシロッコファン等様々な送風機を適用することができる。また、実施の形態２〜４では、送風装置ケーシング７の内壁面上の接続線においてＶ字形状に配置された排水パン８を採用したが、中央部分が低くなる構成、例えばＷ字形状や湾曲形状などを適宜採用することができる。
【符号の説明】
【００４５】
１  本体ケーシング、１ａ  吸込口、１ｂ  吹出口、３  室内熱交換器、４  送風装置、５  遠心ファン、６  ファンモータ、７  送風装置ケーシング、７ａ  上部ケーシング、７ｂ  下部ケーシング、７ｃ  吸込開口、７ｄ  吐出開口、７ｅ  排水口、７ｆ  フランジ部、８  排水パン、８ａ  垂直面（第２面）、８ｂ  傾斜面（第１面）、８ｃ  四隅排水パン、８ｄ  稜線、９  通水部材、１０  樋、１１  スリット、１２  チャンネル材、１３  ドレンパン、１４  モータステー。
【図１】
0006038356.tif 000002
【図２】
0006038356.tif 000003
【図３】
0006038356.tif 000004
【図４】
0006038356.tif 000005
【図５】
0006038356.tif 000006
【図６】
0006038356.tif 000007
【図７】
0006038356.tif 000008
【図８】
0006038356.tif 000009
【図９】
0006038356.tif 000010
【図１０】
0006038356.tif 000011